(57)【要約】【課題】本体のパネル部に、ディスプレイ部が回動自在に装着された電子機器において、ディスプレイ部の回動で、パネル部が開放された時のパネル部に配設された挿排口と操作釦の近傍の照明が、パネル部に専用光源を設けることなくでき、コストが低減された電子機器の照明構造を実現することを課題とする。【解決手段】ディスプレイ部は、パネル部に設けられた挿排口と操作釦を閉鎖した状態で、ディスプレイ部の点灯によりディスプレイ部が表示動作されてなり、ディスプレイ部がパネル部から回動展開されて、ディスプレイ部の表面が上部面になるように開放された状態で、ディスプレイ部の点灯によりパネル部が照明されてなることを特徴とする。【選択図】　図１
2004127466.tif 000002
【特許請求の範囲】
【請求項１】
記録媒体の挿排口と操作釦を備えた本体のパネル部に、情報を表示するディスプレイ部が回動自在に装着された電子機器において、
前記ディスプレイ部は、前記パネル部に設けられた挿排口と操作釦を閉鎖した状態で、該ディスプレイ部の点灯により該ディスプレイ部が表示動作されてなり、
前記パネル部は、前記ディスプレイ部が該パネル部から回動展開されて、該ディスプレイ部の表面が上部面になるように開放された状態で、前記ディスプレイ部の点灯により該パネル部が照明されてなることを特徴とする電子機器の照明構造。
【請求項２】
前記電子機器は車両に搭載されてなり、
前記ディスプレイ部は、前記パネル部の開放時に、車両に装備されたヘッドライトスイッチに連動して点灯され、該ディスプレイ部の点灯により前記パネル部が照明されてなることを特徴とする請求項１記載の電子機器の照明構造。
【請求項３】
前記電子機器は車両に搭載されてなり、
前記ディスプレイ部は、前記パネル部の開放時に、車両に装備されたレオスタットスイッチに連動して前記パネル部の照明の明るさが可変設定されてなることを特徴とする請求項１又は２記載の電子機器の照明構造。
【請求項４】
前記ディスプレイ部は、前記パネル部の開放時に、所定の表示領域の輝度が可変設定されてなることを特徴とする請求項１、２、又は３記載の電子機器の照明構造。
【請求項５】
前記所定の表示領域とは、該パネル部に配設された挿排口と操作釦の近傍の領域であることを特徴とする請求項４記載の電子機器の照明構造。
【請求項６】
前記ディスプレイ部には、前記パネル部の開放状態の経過時間を検出する経過時間検出手段が設けられてなり、
前記経過時間が所定時間を経過した事が、該経過時間検出手段により検出されると、前記ディスプレイ部が消灯制御されてなることを特徴とする請求項１乃至５記載の電子機器の照明構造。
【請求項７】
前記ディスプレイ部には、前記パネル部の開放状態の経過時間を検出する経過時間検出手段が設けられてなり、
前記経過時間が所定時間を経過した事が、該経過時間検出手段により検出されると、前記ディスプレイ部が点滅制御されてなることを特徴とする請求項１乃至５記載の電子機器の照明構造。
【請求項８】
前記ディスプレイ部は、前記パネル部が開放され、近傍が照明されている前記挿排口から記録媒体が排出された時、排出された当該記録媒体の種類の検出に対応して、表示画面の色が所定の色に照明されてなることを特徴とする請求項１乃至７記載の電子機器の照明構造。
【請求項９】
前記ディスプレイ部の表示画面には、排出された前記記録媒体の種類に対応する所定の表示領域が設定され、該表示領域の表示色が可変設定されてなることを特徴とする請求項８記載の電子機器の照明構造。
【請求項１０】
記録媒体の挿排口と操作釦を備えた本体のパネル部に、情報を表示するディスプレイ部が回動自在に装着された電子機器において、
前記ディスプレイ部は、液晶表示素子パネルと該液晶表示素子パネルの後面に配設された第１導光板と該液晶表示素子パネルを該第１導光板を介して照明するバックライトとパネルケースで構成されてなり、
前記ディスプレイ部は、前記本体のパネル部方向に前記パネルケースの下端部を連結支持点として回動され、該パネル部に設けられた挿排口と操作釦を閉鎖した状態で、該ディスプレイ部に設けられたバックライトの点灯による前記第１導光板を介しての第１照明手段により該ディスプレイ部が表示動作されてなり、
前記挿排口と操作釦を備えた前記パネル部は、前記本体の前面枠体に設置され、該パネル部の後面には、第２導光板が配設されてなり、
前記パネル部は、前記本体の前面枠体の下端部を連結支持点として、該ディスプレイ部が該パネル部から離間する方向に回動展開されて開放された状態で、前記バックライトの点灯により前記第２導光板を介して該パネルが照明されてなることを特徴とする電子機器の照明構造。
【発明の詳細な説明】
【０００１】
【発明の属する技術分野】
本発明は、記録媒体の挿排口と操作釦を備えた本体のパネル部に、情報を表示するディスプレイ部が回動自在に装着された電子機器において、ディスプレイ部を回動開放した時の本体のパネル部の照明に係わり、特に、電子機器を車両に搭載した車載用電子機器の照明構造に関する。
【０００２】
【従来の技術】
ＣＤ又はＭＤ等の記録媒体を挿排するための挿排口と操作釦を備えた本体のパネル部に、情報を表示するディスプレイ部が回動自在に装着されたオーディオ装置又はナビゲーション装置等の電子機器、特に電子機器を車両に搭載した車載用電子機器は、通常、パネル部に設けられた挿排口と操作釦が閉鎖された状態で、ディスプレイ部の後面に設けられたバックライトの点灯により、ディスプレイ部が照明画像表示され、動作状態となっている。そして、ディスプレイ部が本体のパネル部から回動展開されて、挿排口と操作釦を備えたパネル部が開放された状態では、ディスプレイ部の後面に設けられたバックライトが消灯し、ディスプレイ部が非動作状態となり、本体のパネル部に配設された挿排口と操作釦等の照明は、一般に、本体のパネル部に設けられた照明用ＬＥＤ又はランプ等の専用光源等により行われる構造になっている。
【０００３】
そして、パネル部が開放された状態で、本体のパネル部に配設された挿排口から記録媒体が排出された時、排出された記録媒体の種類を示す文字（ＣＤ又はＭＤ等）が点滅するようになっている。
【０００４】
尚、ディスプレイ部の画像照明は、例えばディスプレイ部の後面に設けられた冷陰極管又は小型白熱ランプ等でなるバックライトを点灯し、このバックライトの光をリフレクターを介して液晶表示素子等でなるＬＣＤパネルの後面に照射して行われる。このＬＣＤパネルに照射された光の一部は、ＬＣＤパネルを通過して出射し、外部から視認される。又、ＬＣＤパネルの後面で反射された光は、リフレクターにより再反射されて、同様にＬＣＤパネルを通過して出射し、外部から視認される。従って、ＬＣＤパネルに表示された文字等が、この光により照明されて浮かび上がって見えることになる。
【０００５】
又、この電子機器のディスプレイ部を開閉する回動機構部には、一般に、ディスプレイ部の下部面を本体からスライド機構部を介して引き出し、ディスプレイ部の上部面を本体のパネル部に沿って下部方向にスライド機構部を介して押し下げて、ディスプレイ部を本体のパネル部方向に回転させて、ディスプレイ部のＬＣＤパネルの表面が上部面になるようにして、ディスプレイ部を開放するものと、ディスプレイ部の下端部を連結支持点として、ディスプレイ部の上部面を本体のパネル部から離間する方向に回転させて、ディスプレイ部のＬＣＤパネルの表面が下部面になるように、開放するものがある。この相違した回動機構部を有する電子機器の何れにおいても、本体のパネル部に配設された挿排口と操作釦等の照明は、一般に、本体のパネル部に設けられた照明用ＬＥＤ又はランプ等の専用光源等により行われている。
【０００６】
【特許文献１】
特開平１１−２７８１７０号公報
【０００７】
【発明が解決しようとする課題】
上述のように、本体のパネル部に、ディスプレイ部が回動自在に装着された電子機器において、ディスプレイ部の開放時における本体のパネル部に配設された挿排口と操作釦等の照明には、照明用ＬＥＤ又はランプ等の専用光源を本体のパネル部に設置する必要があり、しかも、排出された記録媒体の種類を示す文字（ＣＤ又はＭＤ等）を点滅する必要があるため、コストアップになる問題がある。
【０００８】
本発明は、このような問題を解決するもので、本体のパネル部に配設された挿排口と操作釦等を照明するために、専用光源等を設けることなく、コスト低減を図った電子機器の照明構造を実現することを課題とする。
【０００９】
【課題を解決するための手段】
上記目的を達成するために、本発明は、記録媒体の挿排口と操作釦を備えた本体のパネル部に、情報を表示するディスプレイ部が回動自在に装着された電子機器において、前記ディスプレイ部は、前記パネル部に設けられた挿排口と操作釦を閉鎖した状態で、該ディスプレイ部の点灯により該ディスプレイ部が表示動作されてなり、前記パネル部は、前記ディスプレイ部が該パネル部から回動展開されて、該ディスプレイ部の表面が上部面になるように開放された状態で、前記ディスプレイ部の点灯により該パネル部が照明されてなることを特徴とするものである。
【００１０】
また、前記電子機器は車両に搭載されてなり、前記ディスプレイ部は、前記パネル部の開放時に、車両に装備されたヘッドライトスイッチに連動して点灯され、該ディスプレイ部の点灯により前記パネル部が照明されてなることを特徴とするものである。
【００１１】
また、前記電子機器は車両に搭載されてなり、前記ディスプレイ部は、前記パネル部の開放時に、車両に装備されたレオスタットスイッチに連動して前記パネル部の照明の明るさが可変設定されてなることを特徴とするものである。
【００１２】
また、前記ディスプレイ部は、前記パネル部の開放時に、所定の表示領域の輝度が可変設定されてなることを特徴とするものである。
【００１３】
また、前記所定の表示領域とは、該パネル部に配設された挿排口と操作釦の近傍の領域であることを特徴とするものである。
【００１４】
また、前記ディスプレイ部には、前記パネル部の開放状態の経過時間を検出する経過時間検出手段が設けられてなり、前記経過時間が所定時間を経過した事が、該経過時間検出手段により検出されると、前記ディスプレイ部が消灯制御されてなることを特徴とするものである。
【００１５】
また、前記ディスプレイ部には、前記パネル部の開放状態の経過時間を検出する経過時間検出手段が設けられてなり、前記経過時間が所定時間を経過した事が、該経過時間検出手段により検出されると、前記ディスプレイ部が点滅制御されてなることを特徴とするものである。
【００１６】
また、前記ディスプレイ部は、前記パネル部が開放され、近傍が照明されている前記挿排口から記録媒体が排出された時、排出された当該記録媒体の種類の検出に対応して、表示画面の色が所定の色に照明されてなることを特徴とするものである。
【００１７】
また、前記ディスプレイ部の表示画面には、排出された前記記録媒体の種類に対応する所定の表示領域が設定され、該表示領域の表示色が可変設定されてなることを特徴とするものである。
【００１８】
また、記録媒体の挿排口と操作釦を備えた本体のパネル部に、情報を表示するディスプレイ部が回動自在に装着された電子機器において、前記ディスプレイ部は、液晶表示素子パネルと該液晶表示素子パネルの後面に配設された第１導光板と該液晶表示素子パネルを該第１導光板を介して照明するバックライトとパネルケースで構成されてなり、前記ディスプレイ部は、前記本体のパネル部方向に前記パネルケースの下端部を連結支持点として回動され、該パネル部に設けられた挿排口と操作釦を閉鎖した状態で、該ディスプレイ部に設けられたバックライトの点灯による前記第１導光板を介しての第１照明手段により該ディスプレイ部が表示動作されてなり、前記挿排口と操作釦を備えた前記パネル部は、前記本体の前面枠体に設置され、該パネル部の後面には、第２導光板が配設されてなり、前記パネル部は、前記本体の前面枠体の下端部を連結支持点として、該ディスプレイ部が該パネル部から離間する方向に回動展開されて開放された状態で、前記バックライトの点灯により前記第２導光板を介して該パネルが照明されてなることを特徴とするものである。
【００１９】
【発明の実施の形態】
本発明の第１の実施の形態に係る電子機器の照明構造について、図面を参照して説明する。
【００２０】
図１は本発明の第１の実施の形態に係る電子機器の照明構造を示す全体構成斜視図で、（ａ）は展開斜視図、（ｂ）は展開断面図である。尚、第１の実施の形態に係るものから第４の実施の形態に係るものまでの同一構成品は本第１の実施の形態に係るもので説明し、その他の実施の形態では説明を省略する。
【００２１】
本第１の実施の形態に係る電子機器の照明構造１０は、例えば、電子機器の本体１と、ディスプレイ部２０の下端部を前後方向Ｐ１３、Ｐ１４に移動する第１機構部２と、ディスプレイ部２０の上端部を上下方向Ｐ１１、Ｐ１２に移動する第２機構部３と、本体１の前面部に設置されたパネル部３０と、本体１の前面部に回動自在に装着されたディスプレイ部２０等で構成されている。そして、パネル部３０は、ＣＤ又はＭＤ等の記録媒体を挿排するための挿排口３２と、記録媒体等を動作する操作釦３３及び前面枠３１等で構成されている。又、ディスプレイ部２０は、液晶表示素子等でなる画像を表示するＬＣＤパネル２２と、ディスプレイ部２０等を動作する操作釦２３と、冷陰極管又は小型白熱ランプ等でなるバックライト２７と、バックライト２７の光を反射するリフレクタ２５と、ＬＣＤパネル２２等を取付固定する固定板２６と、バックライト２７用回路基板２８と、ＬＣＤパネル２２を保持するホルダ２４と、パネルケース２１等で構成されている。
【００２２】
この電子機器の照明構造１０は、ディスプレイ部２０がパネル部３０から回動されて、ディスプレイ部２０の表面が上部面になるように開放され、パネル部３０に配設された挿排口３２と操作釦３３の近傍が、ディスプレイ部２０に設けられたバックライト２７の点灯によるＬＣＤパネル２２の照明とＬＣＤパネル２２からの出射光により照明されるようにしたものなので、構成品の説明は省略し、ディスプレイ部２０の開閉動作等について説明する。
【００２３】
ディスプレイ部２０の開状態から閉状態への動作は、ディスプレイ部２０が回動されてパネル部３０に設けられた挿排口３２と操作釦３３が閉鎖され、ディスプレイ部２０のＬＣＤパネル２２の表面が前面に向けられる事により行われる。
【００２４】
即ち、ディスプレイ部２０の下端部がパネル部３０に向けて後方向Ｐ１３に第１機構部２を介して移動され、ディスプレイ部２０の上端部がパネル部３０に沿わせて上方向Ｐ１１に第２機構部３を介して移動されることにより、ディスプレイ部２０が回転角度Ｒ１１が零になる位置まで回動されて、パネル部３０に設けられた挿排口３２と操作釦３３が閉鎖され、ディスプレイ部２０のＬＣＤパネル２２の表面が前面に向けられた状態にすることにより行われる。
【００２５】
この状態のディスプレイ部２０は、ＬＣＤパネルに表示された文字等がリフレクターを介してＬＣＤパネル２２の後面に設けられたバックライト２７により、照明されて画像表示されることになる。
【００２６】
又、ディスプレイ部２０が非動作状態の時における記録媒体（ＣＤ又はＭＤ等よりなる）の挿排は、ディスプレイ部２０の表面を上部面になるように回動し、パネル部３０に設けられた挿排口３２と操作釦３３を開放して行う。即ち、ディスプレイ部２０の下端部を第１機構部２を介してパネル部３０から前方向Ｐ１４に移動し、ディスプレイ部２０の上端部を第２機構部３を介してパネル部３０に沿わせて下方向Ｐ１２に移動することにより、回転角度Ｒ１１が所定角度位置まで回動されて、パネル部３０に設けられた挿排口３２と操作釦３３が開放され、ディスプレイ部２０のＬＣＤパネル２２の表面が上部面になる状態にしてから記録媒体の挿排が行われる。
【００２７】
この状態のディスプレイ部２０は、回動開放検出器（図示せず）によりディスプレイ部２０の開放が検出され、この開放検出信号によりＬＣＤパネル２２の後面に設けられたバックライト２７が点灯されて照明される。この点灯による照射で挿排口３２と操作釦３３を有するパネル部３０が照明されることになる。即ち、このバックライト２７の点灯による光が、リフレクター２５を介してＬＣＤパネル２２の後面へ照射されてＬＣＤパネル２２が照明され、この照射による光の一部がＬＣＤパネル２２を通過して矢印Ａ１１方向に出射されることにより、挿排口３２と操作釦３３を有するパネル部３０が照明されることになる。
【００２８】
又、このパネル部３０に設けられた挿排口３２と操作釦３３の近傍を特に明るく照明するために、ＬＣＤパネル２２を表示制御している。即ち、ＬＣＤパネル２２は、制御回路部（図示せず）からの指令信号により照明度の高い領域Ｓ１１と照明度の低い領域Ｓ１２（又はＬＣＤパネル２２を通過する光の通過率の高い領域Ｓ１１と通過率の低い領域Ｓ１２）とに、区分されて制御される。このＬＣＤパネル２２の表示面の明暗領域区分（又は、通過率の高低領域区分）は、パネル部３０に設けられた挿排口３２、操作釦３３の位置と、ＬＣＤパネル２２の表示面との対向状況（パネル部３０とＬＣＤパネル２２との相対角度と距離、及び見掛けの表面積等）に応じて、制御回路部（図示せず）で算出されて所定の照明輝度が設定される。
【００２９】
尚、本第１の実施の形態に係る電子機器の照明構造１０では、バックライト２７の点灯を用いてディスプレイ部２０を照明表示するようにしているが、これにこだわることなく、バックライト２７以外の照明手段を用いてディスプレイ部２０を照明表示するようにしても良い。
【００３０】
以上により、本体のパネル部３０に、ディスプレイ部２０が回動自在に装着された電子機器１において、ディスプレイ部２０の表面が上部面になるように回動されて、パネル部３０が開放された時、パネル部３０に配設された挿排口３２と操作釦３３近傍への照明が、パネル部３０に照明用ＬＥＤ又はランプの専用光源等を用いることなく、ディスプレイ部２０に設けられたバックライト２７等の点灯によるＬＣＤパネル２２への照明と、ＬＣＤパネル２２を通過した出射光により行われるため、コスト低減を図ることができる。
【００３１】
次に、本発明の第２の実施の形態に係る電子機器の照明構造について、図２、図３を参照して説明する。
【００３２】
図２は本発明の第２の実施の形態に係る電子機器の照明構造に用いられるバックライトの動作制御部のブロック図であり、図３は第２の実施の形態に係る電子機器の照明構造に用いられるバックライトの動作を示すフローチャートである。
【００３３】
本発明の第２の実施の形態に係る電子機器の照明構造は、第１の実施の形態に係る電子機器の照明構造１０を車載用電子機器に用いたものであり、バックライトを点灯制御する動作制御部７０を設けて、ディスプレイ部２０に設けられたバックライト２７を車両に装備された制御回路部７３を介してヘッドライトＳＷ７１及びレオスタットＳＷ７２に連動させて点灯制御するようにしたものである。
【００３４】
従って、第１の実施の形態に係る電子機器の照明構造１０に対し、同一構成品については説明を省略し、相違したバックライトの動作制御部７０に関し、その動作制御と動作について図２及び図３を参照して説明する。
【００３５】
本第２の実施の形態に係る電子機器の照明構造に用いられるバックライトの動作制御部７０の構成は、主として、図２に示すように、車両に装備されたヘッドライトＳＷ７１とレオスタットＳＷ７２及び制御回路部７３と、電子機器１に設けられたディスプレイ部開閉検出器７４とＩ／Ｏ回路部７５とバックライト動作回路部７６と輝度調整回路部７７とバックライト２７等により構成されている。
【００３６】
このバックライト２７の動作制御においては、車両側のヘッドライトＳＷ７１及びレオスタットＳＷ７の信号と、電子機器側のディスプレイ部開閉検出器７４の開放出力信号により、バックライト２７が点灯制御されるようになっている。
【００３７】
即ち、車両側からのレオスタットＳＷ７２によるレオスタット調整信号が制御回路部７３及び電子機器側のＩ／Ｏ回路部７５を介してバックライト動作回路部７６に入力される。そして、輝度調整回路部７７では、レオスタット調整値に応じて調整した信号をバックライト２７に送り、バックライト２７が調整信号に応じた輝度で点灯されることになる。
【００３８】
まず車両側からは、ヘッドライトＳＷ７１のＯＮ信号が、制御回路部７３及び電子機器側のＩ／Ｏ回路部７５を介してバックライト動作回路部７６に入力される。電子機器側からは、ディスプレイ部開閉検出器７４からディスプレイ部２０が開放された時の開放出力信号がＩ／Ｏ回路部７５を介してバックライト動作回路部７６に入力される。そして、バックライト動作回路部７６では、ヘッドライトＳＷ７１のＯＮ信号と開放出力信号を受けて、バックライト２７への動作信号を輝度調整回路部７７に送信する。輝度調整回路部７７ではバックライト動作回路部７６からの動作信号と、レオスタットＳＷ７２のレオスタット調整値を受けて、バックライト２７への所定輝度信号を設定し、バックライト２７を点灯制御する。
【００３９】
次に、バックライト２７の動作について、図３を参照して説明する。
【００４０】
ステップＳ７１では、車両に装備されたヘッドライトＳＷ７１及びレオスタットＳＷ７２よりＯＮ信号が出力されたか否かを判断し、ＮＯ、即ちＯＮ信号が出力されていない昼間時等の状況の場合には、処理を終了し、ＹＥＳ、即ちＯＮ信号が出力された夜間時等の状況の場合には、ステップＳ７２に進む。
【００４１】
ステップＳ７２では、電子機器１に設けられたディスプレイ部開閉検出器７４によりディスプレイ部２０が開放されたか否かを検出判断し、ＮＯ、即ちヘッドライトＳＷ７１及びレオスタットＳＷ７２からＯＮ信号が出力されているが、ディスプレイ部が閉鎖された状態のままの場合には、ステップＳ７７に進み処理を終了し、ＹＥＳ、即ちヘッドライトＳＷ７１及びレオスタットＳＷ７２からＯＮ信号が出力された夜間時等の状況で、ディスプレイ部２０が開放された場合には、ステップＳ７３に進みバックライト動作回路部７６をＯＮ動作する。
【００４２】
ステップＳ７３では、バックライト動作回路部７６をＯＮ動作し、ステップＳ７５に進み輝度調整回路部７７をＯＮ動作する。
【００４３】
ステップＳ７５では、バックライト動作回路部７６からのＯＮ信号を受けて、輝度調整回路部７７がＯＮ動作され、レオスタットＳＷ７２によるレオスタット調整値に応じたバックライト２７への輝度値が調整される。この調整された輝度信号により、バックライト２７が点灯され、ステップＳ７６に進む。
【００４４】
ステップＳ７６では、バックライト２７がレオスタット調整値に応じて輝度調整されて点灯され、パネル部３０が、輝度調整されて照明されているか否かを判断している。この判断により、ＮＯ、即ち、パネル部３０が輝度調整されて照明されていない場合には、ステップＳ７３に戻され、ＹＥＳ、即ち、パネル部３０が輝度調整されて照明されている場合には、ステップＳ７７に進み、処理を終了する。
【００４５】
尚、本第２の実施の形態に係る電子機器の照明構造では、車両に装備されたヘッドライトＳＷ７１及びレオスタットＳＷ７２に連動させて、輝度調整回路部７７を介してバックライト２７を輝度調整して点灯し、パネル部３０を照明するようにしているが、これにこだわることなく、レオスタットＳＷ７２を用いずヘッドライトＳＷ７１のみに連動させて、バックライト２７を点灯し、パネル部３０を照明するようにしても良い。
【００４６】
以上により、本体のパネル部３０に、ディスプレイ部２０が回動自在に装着された電子機器１において、ディスプレイ部２０の表面が上部面になるように回動されて、パネル部３０が開放された時、パネル部３０に配設された挿排口３２と操作釦３３近傍への照明が、パネル部３０に照明用ＬＥＤ又はランプの専用光源等を用いることなく、ディスプレイ部２０に設けられたバックライト２７の点灯と、ＬＣＤパネル２２を通過する出射光の制御により行われ、しかも、夜間時等に点灯される車両に装備されたヘッドライトＳＷ７１及びレオスタットＳＷ７２に連動してバックライト２７が点灯制御されているため、操作と運用が容易で、コストを削減することができる。
【００４７】
次に、本発明の第３の実施の形態に係る電子機器の照明構造について、図４、図５を参照して説明する。
【００４８】
図４は本発明の第３の実施の形態に係る電子機器の照明構造に用いられるバックライトの動作制御部のブロック図であり、図５は第３の実施の形態に係る電子機器の照明構造に用いられるバックライトの動作を示すフローチャートである。尚、図中に示す、第１及び第２の実施の形態に係る電子機器の照明構造のものと同じ構成品については同じ符号を付与している。
【００４９】
本発明の第３の実施の形態に係る電子機器の照明構造は、第１の実施の形態に係る電子機器の照明構造１０を車載用電子機器に用いたものであり、ディスプレイ部２０にはディスプレイ部２０が開放した状態にある時の経過時間を検出する経過時間検出器８１が設けられ、この経過時間検出器８１によるディスプレイ部２０の所定開放検出時間に対応して、パネル部３０を照明するためのバックライト２７を消灯（又は、点滅警告）制御するようにしたものである。そして、動作制御部８０（経過時間検出器８１を有したもの）を設けて、車両に装備されたヘッドライトＳＷ７１及びレオスタットＳＷ７２に連動させてディスプレイ部２０のバックライト２７を点灯制御するようにしている。
【００５０】
従って、第１の実施の形態に係る電子機器の照明構造１０に対し、同一構成品については説明を省略し、相違した経過時間検出器８１を有するバックライト２７の動作制御部８０に関し、その動作制御と動作について図４及び図５を参照して説明する。尚、本第３の実施の形態に係る電子機器の照明構造に用いられるバックライト２７の動作制御は車両側からのヘッドライトＳＷ７１及びレオスタットＳＷ７２のＯＮ信号に連動させたものにしているが、これにこだわることなくヘッドライトＳＷ７１及びレオスタットＳＷ７２を用いず、ディスプレイ部３０の開放状態に対応してバックライト２７を独自に動作制御するようにしても良い。
【００５１】
本第３の実施の形態に係る電子機器の照明構造に用いられるバックライトの動作制御部８０の構成は、主として、図４に示すように、車両に装備されたヘッドライトＳＷ７１とレオスタットＳＷ７２及び制御回路部７３と、電子機器１に設けられたディスプレイ部開閉検出器７４とＩ／Ｏ回路部８５とバックライト動作回路部８６と輝度調整回路部８７とバックライト２７及び開放経過時間検出器８１等により構成されている。
【００５２】
このバックライト２７の動作制御は、第２の実施の形態に係る電子機器の照明構造に用いられるバックライト２７の動作制御に対し、ディスプレイ部２０の開放状態の経過時間が所定値を超えた場合に、パネル部３０を照明するためのバックライト２７を消灯（又は、点滅警告）制御するようにしたものなので、開閉動作制御に関する詳細説明は省略する。
【００５３】
次に、バックライト２７の動作について、図５を参照して説明する。
【００５４】
ステップＳ８１とステップＳ８２は、図３に示すステップＳ７１とステップＳ７２と同一なので，説明を省略する。
【００５５】
ステップＳ８３では、ディスプレイ部２０の開放が検出されると、ディスプレイ部２０に設けられた開放経過時間検出器８１により開放経過時間が計測され、ステップＳ８４に進む。
【００５６】
ステップＳ８４では、ディスプレイ部２０の開放経過時間（ｔ）が所定時間（Ｔ１）を超えたか否かを判断し、ＮＯ、即ちまだ所定時間（Ｔ１）を超えていない場合には、ステップＳ８５に進み、ＹＥＳ、即ち開放経過時間（ｔ）が所定時間（Ｔ１）を超えた場合には、ステップＳ８８、又はステップＳ８９に進む。
【００５７】
ステップＳ８５では、バックライト動作回路部８６をＯＮ動作し、ステップＳ８６に進み輝度調整回路部８７をＯＮ動作する。
【００５８】
ステップＳ８６では、バックライト動作回路部８６からのＯＮ信号を受けて、輝度調整回路部８７がＯＮ動作され、レオスタットＳＷ７２によるレオスタット調整値に応じたバックライト２７への輝度値が調整される。この調整された輝度信号により、バックライト２７が点灯され、ステップＳ８７に進む。
【００５９】
ステップＳ８７では、バックライト２７がレオスタット調整値に応じて輝度調整されて点灯され、パネル部３０への照明が、輝度調整されているか否かを判断している。この判断により、ＮＯ、即ち、パネル部３０が輝度調整されて照明されていない場合には、ステップＳ８５に戻され、ＹＥＳ、即ち、パネル部３０が輝度調整されて照明されている場合には、処理を終了する。
【００６０】
尚、本第３の実施の形態に係る電子機器の照明構造では、車両に装備されたヘッドライトＳＷ７１及びレオスタットＳＷ７２に連動させて、輝度調整回路部８７を介してバックライト２７を輝度調整して点灯し、パネル部３０を照明するようにしているが、これにこだわることなく、レオスタットＳＷ７２を用いずヘッドライトＳＷ７１のみに連動させて、バックライト２７を点灯し、パネル部３０を照明するようにしても良い。
【００６１】
ステップＳ８８では、開放経過時間検出器８１によりディスプレイ部２０の開放経過時間（ｔ）が所定時間（Ｔ１）を超えたことが検出されるとバックライト動作回路部８６をＯＦＦにし、バックライト２７を消灯し、処理を終了する。
【００６２】
ステップＳ８９は、ステップＳ８８によるバックライト２７を消灯する方法以外の方法を示したもので、ディスプレイ部２０の開放経過時間（ｔ）が所定時間（Ｔ１）を超えたことが検出されると、バックライト動作回路部８６をＯＮ／ＯＦＦ制御し、バックライト２７を点滅して警告制御するようにし、処理を終了する。
【００６３】
尚、ステップＳ８８とステップＳ８９の処理は、当業者が択一的に選択して実施しても良いし、利用者が任意に選択可能な構成としても良い。
【００６４】
以上により、本体のパネル部３０に、ディスプレイ部２０が回動自在に装着された電子機器１において、ディスプレイ部２０の表面が上部面になるように回動されて、パネル部３０が開放された時、パネル部３０に配設された挿排口３２と操作釦３３近傍への照明が、パネル部３０に照明用ＬＥＤ又はランプの専用光源等を用いることなく、ディスプレイ部２０に設けられたバックライト２７の点灯と、ＬＣＤパネル２２を通過する出射光の制御により行われる。しかも、ディスプレイ部２０の開放が長時間にわたる場合には、ディスプレイ部２０を操作する状態ではないと判断し、バックライト２７を消灯するか、又は点滅警告するようにされているため、運用が安全で、よりコストを削減することができる。
【００６５】
次に、本発明の第４の実施の形態に係る電子機器の照明構造について、図６、図７を参照して説明する。
【００６６】
図６は本発明の第４の実施の形態に係る電子機器の照明構造を示す展開斜視図であり、図７は第４の実施の形態に係る電子機器の照明構造に用いられるバックライトの動作を示すフローチャートである。尚、図中に示す、第１、２及び第３の実施の形態に係る電子機器の照明構造のものと同じ構成品については同じ符号を付与している。
【００６７】
本発明の第４の実施の形態に係る電子機器の照明構造９０は、電子機器本体１からパネル部９１の排出口９４、９５、９７を介して記録媒体が排出された時、排出された記録媒体の種類（ＣＤ又はＭＤ等）に対応させて、ディスプレイ部９８の表示画面の色が所定の色になるように照明されたものである。
【００６８】
従って、第１の実施の形態に係る電子機器の照明構造１０と同様の構成の動作制御については説明を省略し、相違する記録媒体の排出時における、排出された記録媒体の種類（ＣＤ又はＭＤ等）の識別を容易にするためのディスプレイ部９８の表示色制御について、図６及び図７を参照して説明する。尚、本第４の実施の形態に係る電子機器の照明構造に用いられるバックライトの動作制御は車両側からのヘッドライト及びレオスタットのＯＮ信号に連動させて動作制御するようにしても良い。
【００６９】
ＣＤ又はＭＤ等の記録媒体の排出は、図６に示すように、ディスプレイ部９８のＬＣＤパネル９９の表面を上部面になるように回動（回転角度Ｒ９１を所定角度まで回動）させ、パネル部９１に設けられたＣＤ用挿排口９４、ＭＤ用挿排口９４、その他の記録媒体用挿排口９７、及びＣＤ排出操作釦９２、ＭＤ排出操作釦９３、その他の記録媒体の排出操作釦９６を開放させた状態で行う。そして、排出される記録媒体の種類（ＣＤ又はＭＤ等）に対応させてＬＣＤパネル９９の所定領域の表示色が調整される。この表示色の調整は、図７に示すようなステップ手順により行われる。
【００７０】
最初に、利用者が、排出する記録媒体の種類（ＣＤ又はＭＤ等）を選択し、ＣＤ排出操作釦９２、ＭＤ排出操作釦９３、その他の記録媒体の排出操作釦９６の中から選択した種類の操作釦を操作する。
【００７１】
ステップＳ９２では、ＣＤ排出操作釦９２が操作されたか否かが判断され、ＮＯ、即ちＣＤの排出操作が行われていない場合には、ステップＳ９５に進み、ＹＥＳ、即ちＣＤの排出操作が行われている場合には、ステップＳ９３に進む。
【００７２】
ステップＳ９３では、ＣＤ排出操作に応じてＣＤの排出を行い、次のステップＳ９４に進む。
【００７３】
ステップＳ９４では、ＣＤに対応して設定されたＬＣＤパネル９９の所定領域Ｓ１１１をＣＤに対応して設定された所定の表示色で点灯表示し、次のステップＳ１０１に進む。
【００７４】
この所定領域Ｓ１１１を所定の表示色に表示制御することにより、排出された記録媒体がＣＤであることが識別可能となり、暗い車室内においても排出された記録媒体の種類の判別が容易にできる。
【００７５】
尚、本ステップＳ９４では、所定領域Ｓ１１１を所定の表示色で照明して記録媒体がＣＤであることを識別するようにしているが、これにこだわることなく、所定領域Ｓ１１１を設けることなく、ＬＣＤパネル９９の表示画面の表示色を可変してＣＤに対応する所定色に設定して識別するようにしても良い。即ち、ＬＣＤパネル９９は、制御回路部（図示せず）からの指令信号により表示画面の所定色が排出される記録媒体の種類に対応して設定制御される。
【００７６】
ステップＳ９５では、ＭＤ排出操作釦９３が操作されたか否かが判断され、ＮＯ、即ちＭＤの排出操作が行われていない場合には、ステップＳ９８に進み、ＹＥＳ、即ちＭＤの排出操作が行われている場合には、ステップＳ９６に進む。
【００７７】
ステップＳ９６では、ＭＤ排出操作に応じてＭＤの排出を行い、次のステップＳ９７進む。
【００７８】
ステップＳ９７では、ＭＤに対応して設定されたＬＣＤパネル９９の所定領域Ｓ１１２をＭＤに対応して設定された所定の表示色で点灯表示し、次のステップＳ１０１進む。
【００７９】
この所定領域Ｓ１１２を所定の表示色に表示制御することにより、排出された記録媒体がＭＤであることが識別可能となり、暗い車室内においても排出された記録媒体の種類の判別が容易にできる。
【００８０】
尚、本ステップＳ９７では、ステップＳ９４と同じように、所定領域Ｓ１１２を所定の表示色で照明して記録媒体がＭＤであることを識別するようにしているが、これにこだわることなく、所定領域Ｓ１１２を設けることなく、ＬＣＤパネル９９の表示画面の表示色を可変してＭＤに対応する所定色に設定して識別するようにしても良い。即ち、ＬＣＤパネル９９は、制御回路部（図示せず）からの指令信号により表示画面の所定色が排出される記録媒体の種類に対応して設定制御される。
【００８１】
ステップＳ９８では、その他の記録媒体の排出操作釦９６が操作されたか否かが判断され、ＮＯ、即ちその他の記録媒体の排出操作が行われていない場合には、ステップＳ９２戻り、排出操作された記録媒体がＣＤであるか否かの判断を続け、ＹＥＳ、即ちその他の記録媒体の排出操作が行われている場合には、ステップＳ９９に進む。
【００８２】
ステップＳ９９では、その他の記録媒体の排出操作に応じてその他の記録媒体の排出を行い、次のステップＳ１００進む。
【００８３】
ステップＳ１００では、その他の記録媒体に対応して設定されたＬＣＤパネル９９の所定領域Ｓ１１３をその他の記録媒体に対応して設定された所定の表示色で点灯表示し、次のステップＳ１０１進む。
【００８４】
この所定領域Ｓ１１３を所定の表示色に表示制御することにより、排出された記録媒体がその他の記録媒体であることが識別可能となり、暗い車室内においても排出された記録媒体の種類の判別が容易にできる。
【００８５】
尚、本ステップＳ１００では、ステップＳ９４、Ｓ９７と同じように、所定領域Ｓ１１３を所定の表示色で照明して記録媒体がその他の記録媒体であることを識別するようにしているが、これにこだわることなく、所定領域Ｓ１１３を設けることなく、ＬＣＤパネル９９の表示画面の表示色を可変してその他の記録媒体に対応する所定色に設定して識別するようにしても良い。
【００８６】
ステップＳ１０１では、記録媒体が抜き取られか否かが判断され、ＮＯ、即ちまだ記録媒体が抜き取られていない場合には、ステップＳ１０１に戻り、記録媒体の種類に対応したＬＣＤの表示制御を続け、ＹＥＳ、即ち記録媒体が抜き取られている場合には、ステップＳ１０２に進む。
【００８７】
ステップＳ１０２では、ＬＣＤパネル９９の表示画面の表示色をディフォルトに戻し、処理を終了する。
【００８８】
尚、ＬＣＤパネル９９の表示画面の表示色は、ディフォルトに戻さずそのままにしておいても良く、所定時間経過後に消灯又は点滅させても良い。
【００８９】
以上により、第１の実施の形態に係る電子機器の照明構造１０で得られたコストの削減等の効果に加えて、電子機器本体１から排出された記録媒体の種類（ＣＤ又はＭＤ等）が、ディスプレイ部９８の表示制御により識別できるため、暗い車室内においても判別が容易で、操作性を向上することができる。
【００９０】
次に、本発明の第５の実施の形態に係る電子機器の照明構造について、図８及び図９を参照して説明する。
【００９１】
図８は本発明の第５の実施の形態に係る電子機器の照明構造を示す全体構成斜視図であり、図９は本発明の第５の実施の形態に係る電子機器の照明構造を示す断面図で、（ａ）は展開前の側部断面図、（ｂ）は展開後の側部断面図である。
【００９２】
本発明の第５の実施の形態に係る電子機器の照明構造４０は、第１の実施の形態に係る電子機器の照明構造１０が、ディスプレイ部２０の表面が上部面になるようにディスプレイ部２０を展開開放する電子機器１に設けられたパネル部３０を照明するものであるのに対し、ディスプレイ部５０の下端部を連結支持点として、ディスプレイ部５０の表面が下部面になるように、ディスプレイ部５０の上端部を本体のパネル部６０から離間するようにして、展開開放する電子機器１に設けられたパネル部６０を、導光板６５等を用いて照明するようにしたものである。
【００９３】
尚、本第５の実施の形態に係る電子機器の照明構造４０のバックライト５７の動作制御は、第２及び第３の実施の形態に係るものと同様に、車両側からのヘッドライトＳＷ７１のＯＮ信号及びレオスタットＳＷ７２のレオスタット調整信号に連動させてバックライト５７を点灯制御するようにしても良い。
【００９４】
本第５の実施の形態に係る電子機器の照明構造４０は、例えば、電子機器の本体１と、本体１の前面部に設置されたパネル部６０と、ディスプレイ部５０の下端部をパネル部６０の下端部に回動自在に連結支持する回転機構部２と、本体１の前面部に回動自在に装着されたディスプレイ部５０等で構成されている。
【００９５】
そして、ディスプレイ部５０は、液晶表示素子等でなる画像を表示するＬＣＤパネル５２と、ディスプレイ部５０等を動作する操作釦５３と、冷陰極管又は小型白熱ランプ等でなるバックライト５７と、バックライト５７の光を導光してＬＣＤパネル５２の後面を照射するための第１導光板５５と、ＬＣＤパネル５２と第１導光板５５等を取付固定する固定板５６と、バックライト５７用回路基板（図示せず）と、ＬＣＤパネル５２を保持するホルダ５４、５８と、パネルケース５１等で構成されている。
【００９６】
又、パネル部６０は、ＣＤ又はＭＤ等の記録媒体を挿排するための挿排口６３と、記録媒体等を操作する操作釦６４と、挿排口６３と操作釦６４等が設けられた前面パネル６２と、前面パネル６２の後面に設けられた下端部に光反射面６５ａを有する第２導光板６５と、第２導光板６５を保持するホルダ６６と、前面枠６１等で構成されている。
【００９７】
この電子機器の照明構造４０に設けられたディスプレイ部５０の開閉動作及びパネル部６０の照明について説明する。
【００９８】
ディスプレイ部５０は、ディスプレイ部５０が回動されてパネル部６０に設けられた挿排口６３と操作釦６４が閉鎖され、ディスプレイ部５０のＬＣＤパネル５２の表面が前面に向けられた状態の時、ディスプレイ部５０の画像がバックライト５７の点灯により表示される。即ち、ディスプレイ部５０の下端部と本体１のパネル６２の下端部が連結された回転機構部２を連結支持点（図９に示す点Ｃ４１）として、ディスプレイ部５０が回転角Ｒ４１が零になる位置まで回動されて、パネル部６０に設けられた挿排口６３と操作釦６４が閉鎖され、ディスプレイ部５０のＬＣＤパネル５２の表面が前面に向けられた状態にされて、ＬＣＤパネル５２への画像表示が行われる。
【００９９】
このＬＣＤパネル５２への画像表示は、ＬＣＤパネル５２の後面下端部に設けられたバックライト５７の点灯による光をＬＣＤパネル５２の後面に設けられた第１導光板５５の下端部に設けられた入射面５５ａに入射することにより行われる。即ち、入射面５５ａに入射された光は、第１導光板５５に導かれ、ＬＣＤパネル５２が照明され、ＬＣＤパネル５２に表示された文字等が、浮かび上がり、画像表示されることになる。
【０１００】
又、ディスプレイ部５０が画像表示されていない非動作状態の時における記録媒体（ＣＤ又はＭＤ等）の挿排は、ディスプレイ部５０を回転機構部２を介して連結支持点（図９に示す点Ｃ４１）を中心として回転角Ｒ４１が所定位置になるまで回転展開し、パネル部６０に設けられた挿排口６３と操作釦６４を開放してから行われる。
【０１０１】
この開放された状態のパネル部６０は、開閉検出器（図示せず）によりディスプレイ部５０の開放が検出され、この開放検出信号によりＬＣＤパネル５２の後面下端部に設けられたバックライト５７がバックライト動作回路部（図示せず）を介して点灯されることにより照明される。即ち、バックライト５７の点灯による光は、前面パネル６２の貫通孔６２ａを透光し、前面パネル６２の後面に設けられた第２導光板６５の下端部の光反射面６５ａに入射し、光反射面６５ａで反射されて第２導光板６５に導かれる。この第２導光板６５に導かれた光により前面パネル６２の後面が照射され、パネル部６０に配設された挿排口６３と操作釦６４の近傍が照明されることになる。
【０１０２】
尚、本第５の実施の形態に係る電子機器の照明構造４０は、ディスプレイ部５０の下端部を連結支持点として、ディスプレイ部５０の表面が下部面になるように、回動展開される構造になっているため、ディスプレイ部５０の展開時には、バックライト５７の点灯による光はパネル部６０へのみ投光し、図示されていないが、ディスプレイ部５０への投光は無駄になるため遮光するようにされている。
【０１０３】
以上により、本体のパネル部６０に、ディスプレイ部５０が下端部を連結支点として回動自在に装着された電子機器１では、ディスプレイ部５０が回動されてパネル部６０が開放された時、パネル部６０に配設された挿排口６３と操作釦６４近傍への照明を、パネル部６０に照明用ＬＥＤ又はランプ等の専用光源を用いることなく、ディスプレイ部５０に設けられたバックライト５７等の点灯によるパネル部６０の導光板６５への導光により行っている。これにより、コスト低減を図ることができ、しかも照明を容易に行うことができる。
【０１０４】
【発明の効果】以上説明した様に、本発明によれば、記録媒体の挿排口と操作釦を備えた本体のパネル部に、情報を表示するディスプレイ部が回動自在に装着された電子機器では、ディスプレイ部の展開時におけるパネル部の挿排口と操作釦近傍の照明が、パネル部に照明用ＬＥＤ又はランプの専用光源等を設けることなく、ディスプレイ部に設けられたバックライトの点灯を利用して行われると共に、排出された記録媒体の種類がディスプレイ部の表示画面上に照明識別されることにより、コスト低減を図ることができ、照明を容易にし、操作性を向上することができる。
【図面の簡単な説明】
【図１】本発明の第１の実施の形態に係る電子機器の照明構造を示す全体構成斜視図である。
【図２】本発明の第２の実施の形態に係る電子機器の照明構造に用いられるバックライトの動作制御部のブロック図である。
【図３】本発明の第２の実施の形態に係る電子機器の照明構造に用いられるバックライトの動作を示すフローチャートである。
【図４】本発明の第３の実施の形態に係る電子機器の照明構造に用いられるバックライトの動作制御部のブロック図である。
【図５】本発明の第３の実施の形態に係る電子機器の照明構造に用いられるバックライトの動作を示すフローチャートである。
【図６】本発明の第４の実施の形態に係る電子機器の照明構造を示す展開斜視図である。
【図７】本発明の第４の実施の形態に係る電子機器の照明構造に用いられるバックライトの動作を示すフローチャートである。
【図８】本発明の第５の実施の形態に係る電子機器の照明構造を示す全体構成斜視図である。
【図９】本発明の第５の実施の形態に係る電子機器の照明構造を示す断面図である。
【符号の説明】
１・・・電子機器の本体
２・・・第２機構部
３・・・第１機構部
１０、４０、９０・・・電子機器の照明構造
２０、５０、９８・・・ディスプレイ部
２１、５１・・・パネルケース
２２、５２、９９・・・ＬＣＤパネル
２３、５３・・・操作釦
２４、５４、５８、６６・・・ホルダ
２５・・・リフレクタ
２６、５６・・・固定板
２７、５７・・・バックライト
２８・・・回路基板
３０、６０、９８・・・パネル部
３１、６１・・・前面枠
３２、６３、９４、９５、９７・・・挿排口
３３、６４、９２、９３、９６・・・操作釦
５５・・・第１導光板
６５・・・第２導光板
７０、８０・・・電子機器の照明構造に用いられるバックライトの動作制御部
７１・・・ヘッドライトＳＷ
７２・・・レオスタットＳＷ
７３・・・制御回路部
７４・・・開閉検出器
７５、８５・・・Ｉ／Ｏ回路部
７６、８６・・・バックライト動作回路部
７７、８７・・・輝度調整回路部
８１・・・開放経過時間検出器
【図１】
2004127466.tif 000003
【図２】
2004127466.tif 000004
【図３】
2004127466.tif 000005
【図４】
2004127466.tif 000006
【図５】
2004127466.tif 000007
【図６】
2004127466.tif 000008
【図７】
2004127466.tif 000009
【図８】
2004127466.tif 000010
【図９】
2004127466.tif 000011